(57)【特許請求の範囲】
【請求項１】
右眼用画像と左眼用画像とを表示期間毎に交互に表示する電気光学装置であって、
複数の走査線と、
前記複数の走査線に交差する複数の信号線と、
前記複数の走査線と前記複数の信号線との各交差に対応して配置された複数の画素と、
前記各表示期間において、当該表示期間内の第１単位期間では、前記複数の走査線を相互に隣合う２本ずつ区分した第１組の走査線を選択期間毎に順次に選択し、前記第１単位期間の経過後の第２単位期間では、前記第１組の走査線のうち一方の走査線を選択期間毎に順次に選択し、前記第２単位期間の経過後の第３単位期間では、前記第１組の走査線における区分から１本ずらして前記複数の走査線を相互に隣合う２本ずつ区分した第２組の走査線を選択期間毎に順次に選択し、前記第３単位期間の経過後の第４単位期間では、前記第１組の走査線を選択期間毎に順次に選択する走査線駆動回路と、
前記各表示期間において、前記第１単位期間の選択期間に、当該選択期間で選択される前記第１組の走査線のうち他方の走査線に対応する各画素の指定階調に応じた階調電位を前記各信号線に供給し、前記第２単位期間の選択期間に、当該選択期間で選択される前記第１組の走査線のうち一方の走査線に対応する各画素の指定階調に応じた階調電位を前記各信号線に供給し、前記第３単位期間の選択期間に、当該選択期間で選択される前記第２組の走査線のうち何れかの走査線に対応する各画素の指定階調に応じた階調電位を前記各信号線に供給し、前記第４単位期間の選択期間に、当該選択期間で選択される前記第１組の走査線のうち何れかの走査線に対応する各画素の指定階調に応じた、前記第３単位期間で供給される階調電位とは異なる階調電位を前記各信号線に供給する信号線駆動回路と
を具備する電気光学装置。
【請求項２】
右眼用画像と左眼用画像とを表示期間毎に交互に表示する電気光学装置であって、
交互に配列された偶数行の第１走査線および奇数行の第２走査線を含む複数の走査線と、
前記複数の走査線に交差する複数の信号線と、
前記複数の走査線と前記複数の信号線との各交差に対応して配置された複数の画素と、
前記各表示期間において、当該表示期間内の第１単位期間では、前記複数の走査線を相互に隣合う２本ずつ区分した第１組の走査線を選択期間毎に順次に選択し、前記第１単位期間の経過後の第２単位期間では、前記第１走査線を選択期間毎に順次に選択し、前記第２単位期間の経過後の第３単位期間では、前記第１組の走査線における区分から１本ずらして前記複数の走査線を相互に隣合う２本ずつ区分した第２組の走査線を選択期間毎に順次に選択し、前記第３単位期間の経過後の第４単位期間では、前記第１組の走査線を選択期間毎に順次に選択する走査線駆動回路と、
前記各表示期間において、前記第１単位期間の選択期間毎に、当該選択期間で選択される前記第２走査線に対応する各画素の指定階調に応じた階調電位を前記各信号線に供給し、前記第２単位期間の選択期間毎に、当該選択期間で選択される前記第１走査線に対応する各画素の指定階調に応じた階調電位を前記各信号線に供給し、前記第３単位期間の選択期間毎に、当該選択期間で選択される前記第１走査線に対応する各画素の指定階調に応じた階調電位を前記各信号線に供給し、前記第４単位期間の選択期間毎に、当該選択期間で選択される前記第２走査線に対応する各画素の指定階調に応じた階調電位を前記各信号線に供給する信号線駆動回路と
を具備する電気光学装置。
【請求項３】
右眼用画像と左眼用画像とを表示期間毎に交互に表示する電気光学装置であって、
交互に配列された奇数行の第１走査線および偶数行の第２走査線を含む複数の走査線と、
前記複数の走査線に交差する複数の信号線と、
前記複数の走査線と前記複数の信号線との各交差に対応して配置された複数の画素と、
前記各表示期間において、当該表示期間内の第１単位期間では、前記複数の走査線を相互に隣合う２本ずつ区分した第１組の走査線を選択期間毎に順次に選択し、前記第１単位期間の経過後の第２単位期間では、前記第１走査線を選択期間毎に順次に選択し、前記第２単位期間の経過後の第３単位期間では、前記第１組の走査線における区分から１本ずらして前記複数の走査線を相互に隣合う２本ずつ区分した第２組の走査線を選択期間毎に順次に選択し、前記第３単位期間の経過後の第４単位期間では、前記第１組の走査線を選択期間毎に順次に選択する走査線駆動回路と、
前記各表示期間において、前記第１単位期間の選択期間毎に、当該選択期間で選択される前記第２走査線に対応する各画素の指定階調に応じた階調電位を前記各信号線に供給し、前記第２単位期間の選択期間毎に、当該選択期間で選択される前記第１走査線に対応する各画素の指定階調に応じた階調電位を前記各信号線に供給し、前記第３単位期間の選択期間毎に、当該選択期間で選択される前記第１走査線に対応する各画素の指定階調に応じた階調電位を前記各信号線に供給し、前記第４単位期間の選択期間毎に、当該選択期間で選択される前記第２走査線に対応する各画素の指定階調に応じた階調電位を前記各信号線に供給する信号線駆動回路と
を具備する電気光学装置。
【請求項４】
右眼用画像と左眼用画像とを表示期間毎に交互に表示する電気光学装置であって、
交互に配列された偶数行の第１走査線および奇数行の第２走査線を含む複数の走査線と、
前記複数の走査線に交差する複数の信号線と、
前記複数の走査線と前記複数の信号線との各交差に対応して配置された複数の画素と、
前記各表示期間において、当該表示期間内の第１単位期間では、前記複数の走査線を相互に隣合う２本ずつ区分した第１組の走査線を選択期間毎に順次に選択し、前記第１単位期間の経過後の第２単位期間では、前記第１走査線を選択期間毎に順次に選択し、前記第２単位期間の経過後の第３単位期間では、前記第１組の走査線における区分から１本ずらして前記複数の走査線を相互に隣合う２本ずつ区分した第２組の走査線を選択期間毎に順次に選択し、前記第３単位期間の経過後の第４単位期間では、前記第１組の走査線を選択期間毎に順次に選択する走査線駆動回路と、
前記各表示期間において、前記第１単位期間の選択期間毎に、当該選択期間で選択される前記第２走査線に対応する各画素の指定階調に応じた階調電位を前記各信号線に供給し、前記第２単位期間の選択期間毎に、当該選択期間で選択される前記第１走査線に対応する各画素の指定階調に応じた階調電位を前記各信号線に供給し、前記第３単位期間の選択期間毎に、当該選択期間で選択される前記第２走査線に対応する各画素の指定階調に応じた階調電位を前記各信号線に供給し、前記第４単位期間の選択期間毎に、当該選択期間で選択される前記第１走査線に対応する各画素の指定階調に応じた階調電位を前記各信号線に供給する信号線駆動回路と
を具備する電気光学装置。
【請求項５】
右眼用シャッターと左眼用シャッターとを含む立体視用眼鏡で立体視される右眼用画像および左眼用画像を表示する電気光学装置であって、
前記各表示期間のうち前記第１単位期間の少なくとも一部を含む期間にて前記右眼用シャッターおよび前記左眼用シャッターの双方を閉状態に制御し、前記右眼用画像の各表示期間における前記第２単位期間と前記第３単位期間と前記第４単位期間とのうち少なくとも一部を含む期間にて前記右眼用シャッターを開状態に制御するとともに前記左眼用シャッターを閉状態に制御し、前記左眼用画像の各表示期間における前記第２単位期間と前記第３単位期間と前記第４単位期間とのうち少なくとも一部を含む期間にて前記左眼用シャッターを開状態に制御するとともに前記右眼用シャッターを閉状態に制御する眼鏡制御回路
を具備する請求項１から請求項４の何れかの電気光学装置。
【請求項６】
前記信号線駆動回路は、基準電圧に対する前記階調電位の極性を、前記各表示期間の前記第１単位期間と前記第２単位期間とにおいて第１極性に設定し、前記各表示期間の前記第３単位期間と前記第４単位期間とにおいて前記第１極性とは逆の第２極性に設定する
請求項１から請求項５の何れかの電気光学装置。
【請求項７】
前記信号線駆動回路は、相前後する右眼用画像の表示期間と左眼用画像の表示期間とを含む制御期間毎に、前記各表示期間の前記第１単位期間から前記第４単位期間の各々における階調電位の極性を反転させる
請求項１から請求項５の何れかの電気光学装置。
【請求項８】
前記信号線駆動回路は、
基準電圧に対する前記階調電位の極性を、
一の制御期間のうち前方の表示期間では、前記第１単位期間と前記第２単位期間とにおいて第１極性に設定するとともに前記第３単位期間と前記第４単位期間とにおいて前記第１極性とは逆の第２極性に設定し、
前記一の制御期間のうち後方の表示期間では、前記第１単位期間および前記第２単位期間と前記第３単位期間および前記第４単位期間のうちの後方の期間とにおいて前記第１極性に設定するとともに前記第３単位期間および前記第４単位期間のうちの前方の期間において前記第２極性に設定する
請求項７の電気光学装置。
【請求項９】
請求項１から請求項８の何れかの電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
右眼用画像と左眼用画像とを時分割で交互に表示するフレームシーケンシャル方式の立体視方法が従来から提案されている。右眼用画像および左眼用画像の一方が他方に変化する期間では右眼用画像と左眼用画像とが混在するから、観察者が画像を視認すると明確な立体感を認識することが困難となる（クロストーク）。以上の問題を解決するために、例えば特許文献１には、右眼用画像および左眼用画像の一方が他方に変化する期間（すなわち右眼用画像と左眼用画像とが混在する期間）において立体視用眼鏡の右眼用シャッターおよび左眼用シャッターの双方を閉状態として観察者に画像を視認させない技術が開示されている。
【０００３】
具体的には、図１２に示すように、右眼用画像に対応する右眼用期間と左眼用画像に対応する左眼用期間とが交互に設定される。右眼用期間の前半期間では表示画像が左眼用画像から右眼用画像に更新されるとともに後半期間では右眼用画像が表示され、左眼用期間の前半期間では表示画像が右眼用画像から左眼用画像に更新されるとともに後半期間では左眼用画像が表示される。右眼用期間および左眼用期間の各々の前半期間では、右眼用シャッターおよび左眼用シャッターの双方が閉状態に制御される。したがって、右眼用画像と左眼用画像との混在（クロストーク）は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１の技術のもとでは、観察者が実際に画像を視認できる期間が、右眼用期間および左眼用期間の各々における後半期間（すなわち約半分）に制限される。したがって、表示画像の明度を充分に確保することが困難であるという問題がある。以上の事情を考慮して、本発明は、右眼用画像と左眼用画像との混在が観察者に知覚されることを抑制しながら表示画像の明度を向上させることを目的とする。
【課題を解決するための手段】
【０００６】
以上の課題を解決するために、本発明の電気光学装置は、右眼用画像と左眼用画像とを表示期間毎に交互に表示する電気光学装置であって、複数の走査線と、複数の走査線に交差する複数の信号線と、複数の走査線と複数の信号線との各交差に対応して配置された複数の画素と、各表示期間において、当該表示期間内の第１単位期間では、複数の走査線を相互に隣合う２本ずつ区分した第１組の走査線を選択期間毎に順次に選択し、第１単位期間の経過後の第２単位期間では、第１組の走査線のうち一方の走査線を選択期間毎に順次に選択し、第２単位期間の経過後の第３単位期間では、第１組の走査線における区分から１本ずらして複数の走査線を相互に隣合う２本ずつ区分した第２組の走査線を選択期間毎に順次に選択し、第３単位期間の経過後の第４単位期間では、第１組の走査線を選択期間毎に順次に選択する走査線駆動回路と、各表示期間において、第１単位期間の選択期間に、当該選択期間で選択される第１組の走査線のうち他方の走査線に対応する各画素の指定階調に応じた階調電位を各信号線に供給し、第２単位期間の選択期間に、当該選択期間で選択される第１組の走査線のうち一方の走査線に対応する各画素の指定階調に応じた階調電位を各信号線に供給し、第３単位期間の選択期間に、当該選択期間で選択される第２組の走査線のうち何れかの走査線に対応する各画素の指定階調に応じた階調電位を各信号線に供給し、第４単位期間の選択期間に、当該選択期間で選択される第１組の走査線のうち何れかの走査線に対応する各画素の指定階調に応じた、第３単位期間で供給される階調電位とは異なる階調電位を各信号線に供給する信号線駆動回路とを具備する。
【０００７】
以上の構成においては、各表示期間の第１単位期間では走査線を２本ずつ順次に選択して各画素に階調電位を供給するから、各表示期間にて走査線を１本ずつ順次に選択して各画素に階調電位を供給する構成と比較して、右眼用画像と左眼用画像とが混在する期間が短縮される。したがって、右眼用画像と左眼用画像とが混在する期間内で立体視用眼鏡の右眼用シャッターおよび左眼用シャッターの双方を閉状態に制御することで右眼用画像と左眼用画像との混在が観察者に知覚されることを抑制する場合でも表示画像の明度を向上させることが可能である。なお、第１単位期間では表示画像の解像度が低下するが、直後の第２単位期間では１本おきに走査線が選択されて各画素に階調電位が供給されるから、表示画像の解像度の低下を観察者に知覚され難くすることが可能である。
【０００８】
本発明の好適な態様は、右眼用シャッターと左眼用シャッターとを含む立体視用眼鏡で立体視される右眼用画像および左眼用画像を表示する電気光学装置であって、各表示期間のうち第１単位期間の少なくとも一部を含む期間（第１単位期間の少なくとも一部に加えて第２単位期間から第４単位期間の一部を含む場合も包含する）にて右眼用シャッターおよび左眼用シャッターの双方を閉状態に制御し、右眼用画像の各表示期間における第２単位期間と第３単位期間と第４単位期間とのうち少なくとも一部を含む期間（第２単位期間から第４単位期間の少なくとも一部に加えて第１単位期間の一部を含む場合も包含する）にて右眼用シャッターを開状態に制御するとともに左眼用シャッターを閉状態に制御し、左眼用画像の各表示期間における第２単位期間と第３単位期間と第４単位期間とのうち少なくとも一部を含む期間（第２単位期間から第４単位期間の少なくとも一部に加えて第１単位期間の一部を含む場合も包含する）にて左眼用シャッターを開状態に制御するとともに右眼用シャッターを閉状態に制御する眼鏡制御回路を具備する。
【０００９】
本発明の好適な態様において、信号線駆動回路は、基準電圧に対する階調電位の極性を、各表示期間の第１単位期間と第２単位期間とにおいて第１極性に設定し、各表示期間の第３単位期間と第４単位期間とにおいて第１極性とは逆の第２極性に設定する。以上の構成では、階調電位が第１極性に設定される時間長と第２極性に設定される時間長とが１個の表示期間内で均等化される。したがって、画素に対する直流電圧の印加を抑制できるという利点がある。
【００１０】
本発明の好適な態様において、信号線駆動回路は、相前後する右眼用画像の表示期間と左眼用画像の表示期間とを含む制御期間毎に、各表示期間の第１単位期間から第４単位期間の各々における階調電位の極性を反転させる。以上の態様では、各単位期間における階調電位の極性が制御期間毎に反転させるから、画素に対する直流電圧の印加を抑制できるという効果は格別に顕著となる。
【００１１】
更に好適な態様において、信号線駆動回路は、基準電圧に対する階調電位の極性を、一の制御期間のうち前方の表示期間では、第１単位期間と第２単位期間とにおいて第１極性に設定するとともに第３単位期間と第４単位期間とにおいて第１極性とは逆の第２極性に設定し、一の制御期間のうち後方の表示期間では、第１単位期間および第２単位期間と第３単位期間および第４単位期間のうちの後方の期間とにおいて第１極性に設定するとともに第３単位期間および第４単位期間のうちの前方の期間において第２極性に設定する。以上の態様では、同極性を電圧が各画素に継続的に印加される時間長が短縮されるから、表示画像のフリッカ（ちらつき）を防止できるという利点がある。
【００１２】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１３】
【図１】本発明の第１実施形態に係る立体視表示装置のブロック図である。
【図２】画素回路の回路図である。
【図３】立体視表示装置の動作の説明図である。
【図４】走査線駆動回路の動作の説明図である。
【図５】第２実施形態における立体視表示装置の動作の説明図である。
【図６】第３実施形態における立体視表示装置の動作の説明図である。
【図７】変形例における動作の説明図である。
【図８】変形例における動作の説明図である。
【図９】電子機器（投射型表示装置）の斜視図である。
【図１０】電子機器（パーソナルコンピュータ）の斜視図である。
【図１１】電子機器（携帯電話機）の斜視図である。
【図１２】従来の技術における立体視動動作の説明図である。
【発明を実施するための形態】
【００１４】
＜第１実施形態＞
図１は、本発明の第１実施形態に係る立体視表示装置１００のブロック図である。立体視表示装置１００は、観察者に立体感を知覚させる立体視画像をアクティブシャッター方式で表示する電子機器であり、電気光学装置１０と立体視用眼鏡２０とを具備する。電気光学装置１０は、相互に視差が付与された右眼用画像ＧRと左眼用画像ＧLとを時分割で交互に表示する。
【００１５】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００１６】
図１の電気光学装置１０は、電気光学パネル１２と制御回路１４とを具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本の信号線３４とが形成される（ＭおよびＮは自然数）。画素部３０内の複数の画素ＰIXは、走査線３２と信号線３４との各交差に対応して縦Ｍ行×横Ｎ列の行列状に配列される。
【００１７】
駆動回路４０は、走査線駆動回路４２と信号線駆動回路４４とを具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定されることで第ｍ行の走査線３２が選択される。信号線駆動回路４４は、走査線駆動回路４２による走査線３２の選択に同期してＮ本の信号線３４の各々に階調電位Ｘ[1]〜Ｘ[N]を供給する。階調電位Ｘ[n]（ｎ＝１〜Ｎ）は、外部回路から供給される画像信号が各画素ＰIXに指定する階調（以下「指定階調」という）に応じて可変に設定される。所定の基準電位に対する階調電位Ｘ[n]の極性は周期的に反転する。
【００１８】
図２は、各画素ＰIXの回路図である。図２に示すように、各画素ＰIXは、液晶素子ＣLと選択スイッチＳWとを含む。液晶素子ＣLは、相互に対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。走査信号Ｙ[m]が選択電位に設定されることで第ｍ行の各画素ＰIXにおける選択スイッチＳWが同時にオン状態に遷移する。各画素ＰIX（液晶素子ＣL）は、選択スイッチＳWがオン状態に制御されたとき（すなわち走査線３２の選択時）の信号線３４の階調電位Ｘ[n]に応じた階調を表示する。なお、液晶素子ＣLに並列に補助容量を接続した構成も採用され得る。
【００１９】
図１の制御回路１４は、電気光学パネル１２を制御する表示制御回路１４２と、立体視用眼鏡２０を制御する眼鏡制御回路１４４を具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。表示制御回路１４２は、相互に視差が付与された右眼用画像ＧRと左眼用画像ＧLとが時分割で画素部３０に表示されるように駆動回路４０を制御する。具体的には、表示制御回路１４２は、駆動回路４０が以下の動作を実行するように駆動回路４０を制御する。
【００２０】
図３は、電気光学装置１０の動作の説明図である。電気光学装置１０は、所定長の表示期間Ｐ（右眼用表示期間ＰRおよび左眼用表示期間ＰL）を周期として動作する。右眼用表示期間ＰRでは画素部３０に右眼用画像ＧRが表示され、左眼用表示期間ＰLでは画素部３０に左眼用画像ＧLが表示される。右眼用表示期間ＰRと左眼用表示期間ＰLとは時間軸上に交互に配置される。各表示期間Ｐ（ＰR，ＰL）は、相等しい時間長の４個の単位期間（Ｕ1〜Ｕ4）に区分される。単位期間Ｕ2は単位期間Ｕ1に後続し、単位期間Ｕ3は単位期間Ｕ2に後続し、単位期間Ｕ4は単位期間Ｕ3に後続する。
【００２１】
図４は、各表示期間Ｐ（ＰR，ＰL）での走査線駆動回路４２の動作の説明図である。図４に示すように、各表示期間Ｐの単位期間Ｕ1では、走査線駆動回路４２は、Ｍ本の走査線３２を相互に隣合う２本ずつ区分した複数の組（以下「第１組」という）の各々を選択期間Ｈ毎に順次に選択する。第１組は、偶数行（第2k行）の１本の走査線３２と、その走査線３２に対してＹ方向の負側に隣合う奇数行（第(2k-1)行）の１本の走査線３２とで構成される。走査線駆動回路４２は、単位期間Ｕ1内の１個の選択期間Ｈにて走査信号Ｙ[2k-1]および走査信号Ｙ[2k]を選択電位に設定することで第１組の２本の走査線３２を同時に選択する。例えば、単位期間Ｕ1内の第１番目の選択期間Ｈでは第１行および第２行の２本の走査線３２が同時に選択され、単位期間Ｕ1内の第２番目の選択期間Ｈでは第３行および第４行の２本の走査線３２が同時に選択される。
【００２２】
各表示期間Ｐの単位期間Ｕ2では、走査線駆動回路４２は、Ｍ本の走査線３２を１本おきに選択期間Ｈ毎に順次に選択する。すなわち、第１組の２本の走査線３２のうちの一方の走査線３２が単位期間Ｕ2では順次に選択される。具体的には、走査線駆動回路４２は、単位期間Ｕ2内の１個の選択期間Ｈにて走査信号Ｙ[2k]を選択電位に設定することで偶数行の走査線３２を選択期間Ｈ毎に順次に選択する。例えば、単位期間Ｕ2内の第１番目の選択期間Ｈでは第２行の走査線３２が選択され、単位期間Ｕ2内の第２番目の選択期間Ｈでは第４行の走査線３２が選択される。奇数行の走査線３２は単位期間Ｕ2では選択されない。
【００２３】
各表示期間Ｐの単位期間Ｕ3では、走査線駆動回路４２は、第１組とは相違する組合せでＭ本の走査線３２を相互に隣合う２本ずつ区分した複数の組（以下「第２組」という）の各々を選択期間Ｈ毎に順次に選択する。第２組は、偶数行（第2k行）の１本の走査線３２と、その走査線３２に対してＹ方向の正側に隣合う奇数行（第(2k+1)行）の１本の走査線３２とで構成される。すなわち、第１組と第２組とは、走査線３２の１本分だけＹ方向にずれた関係にある。走査線駆動回路４２は、単位期間Ｕ3内の１個の選択期間Ｈにて走査信号Ｙ[2k]および走査信号Ｙ[2k+1]を選択電位に設定することで第２組の２本の走査線３２を同時に選択する。例えば、単位期間Ｕ3内の第１番目の選択期間Ｈでは第２行および第３行の２本の走査線３２が同時に選択され、単位期間Ｕ3内の第２番目の選択期間Ｈでは第４行および第５行の２本の走査線３２が同時に選択される。なお、第１実施形態での説明では便宜的に、単位期間Ｕ3内で第１行目および第Ｍ行目の走査線３２が選択されない場合を例示するが、単位期間Ｕ3にて第１行目および第Ｍ行目の走査線３２を選択することも可能である。
【００２４】
各表示期間Ｐの単位期間Ｕ4では、走査線駆動回路４２は、単位期間Ｕ1と同様に、第(2k-1)行および第2k行の２本の走査線３２で構成される第１組を選択期間Ｈ毎に順次に選択する。例えば、単位期間Ｕ4内の第１番目の選択期間Ｈでは第１行および第２行の２本の走査線３２が同時に選択され、単位期間Ｕ4内の第２番目の選択期間Ｈでは第３行および第４行の２本の走査線３２が同時に選択される。
【００２５】
図３に示すように、信号線駆動回路４４は、右眼用画像ＧRの画像信号に応じた階調電位Ｘ[1]〜Ｘ[N]を右眼用表示期間ＰR内の選択期間Ｈ毎に順次に各信号線３４に供給し、左眼用画像ＧLの画像信号に応じた階調電位Ｘ[1]〜Ｘ[N]を左眼用表示期間ＰL内の選択期間Ｈ毎に順次に各信号線３４に供給する。図３には、所定の基準電位（例えば共通電極６４の電位）に対する各階調電位Ｘ[n]の極性（書込極性）の時間変化が図示されている。階調電位Ｘ[n]は液晶素子ＣLの画素電極６２に供給されるから、図３に例示された極性は、液晶素子ＣLに対する印加電圧の極性と同視され得る。図３に示すように、信号線駆動回路４４は、各表示期間Ｐ（ＰR，ＰL）のうち単位期間Ｕ1および単位期間Ｕ2の組と単位期間Ｕ3および単位期間Ｕ4の組とで階調電位Ｘ[n]の極性（液晶素子ＣLの印加電圧の極性）を逆極性に設定する。具体的には、階調電位Ｘ[n]は、各表示期間Ｐの単位期間Ｕ1および単位期間Ｕ2にて正極性(+)に設定され、各表示期間Ｐの単位期間Ｕ3および単位期間Ｕ4にて負極性(-)に設定される。
【００２６】
各表示期間Ｐ（以下では特に右眼用表示期間ＰR）内の各期間（Ｕ1〜Ｕ4）における信号線駆動回路４４の動作を以下に詳述する。右眼用表示期間ＰRの単位期間Ｕ1のうち、第１組を構成する第(2k-1)行および第2k行の２本の走査線３２が選択される選択期間Ｈでは、信号線駆動回路４４は、右眼用画像ＧRのうち第(2k-1)行の各画素ＰIXの指定階調ＧR[2k-1]に応じた階調電位Ｘ[n]を各信号線３４に供給する。したがって、図３の部分(R1)に示す通り、第(2k-1)行および第2k行の各画素ＰIXには、第(2k-1)行の画素ＰIXの指定階調ＧR[2k-1]に応じた階調電位Ｘ[n]が共通に供給される。例えば、単位期間Ｕ1内の第１番目の選択期間Ｈでは、右眼用画像ＧRのうち第１行の各画素ＰIXの指定階調ＧR[1]に応じた階調電位Ｘ[n]が第１行および第２行の各画素ＰIXに供給され、第２番目の選択期間Ｈでは、右眼用画像ＧRのうち第３行の各画素ＰIXの指定階調ＧR[3]に応じた階調電位Ｘ[n]が第３行および第４行の各画素ＰIXに供給される。以上のように単位期間Ｕ1では、Ｙ方向に相互に隣合う２個の画素ＰIXに共通の階調電位Ｘ[n]が供給されるから、右眼用表示期間ＰRの単位期間Ｕ1が終了する時点では、Ｙ方向の解像度を半分に低下させた右眼用画像ＧRが画素部３０に表示される。
【００２７】
右眼用表示期間ＰRの単位期間Ｕ2のうち、第2k行の走査線３２が選択される選択期間Ｈでは、信号線駆動回路４４は、右眼用画像ＧRのうちその第2k行の走査線３２に対応する各画素ＰIXの指定階調ＧR[2k]に応じた階調電位Ｘ[n]を各信号線３４に供給する。例えば、図３の部分(R2)に示すように、単位期間Ｕ2内の第１番目の選択期間Ｈでは、右眼用画像ＧRのうち第２行の各画素ＰIXの指定階調ＧR[2]に応じた階調電位Ｘ[n]が第２行の各画素ＰIXに供給され、第２番目の選択期間Ｈでは、右眼用画像ＧRのうち第４行の各画素ＰIXの指定階調ＧR[4]に応じた階調電位Ｘ[n]が第４行の各画素ＰIXに供給される。他方、奇数行の各画素ＰIXにおける液晶素子ＣLの印加電圧は直前の単位期間Ｕ1での設定電圧に保持される。したがって、単位期間Ｕ1の終点ではＹ方向に半分の解像度で表示されていた右眼用画像ＧRが、単位期間Ｕ2の終点では所期の解像度（縦Ｍ行×横Ｎ列）の右眼用画像ＧRに更新される。
【００２８】
右眼用表示期間ＰRの単位期間Ｕ3のうち、第２組を構成する第2k行および第(2k+1)行の２本の走査線３２が選択される選択期間Ｈでは、信号線駆動回路４４は、右眼用画像ＧRのうち第2k行の各画素ＰIXに対応する指定階調ＧR[2k]に応じた階調電位Ｘ[n]を各信号線３４に供給する。したがって、図３の部分(R3)に示すように、第２組を構成する第2k行および第(2k+1)行の各画素ＰIXには、第2k行の画素ＰIXの指定階調ＧR[2k]に応じた階調電位Ｘ[n]が共通に供給される。例えば、単位期間Ｕ3内の第１番目の選択期間Ｈでは、右眼用画像ＧRのうち第２行の各画素ＰIXの指定階調ＧR[2]に応じた階調電位Ｘ[n]が第２行および第３行の各画素ＰIXに供給され、第２番目の選択期間Ｈでは、右眼用画像ＧRのうち第４行の各画素ＰIXの指定階調ＧR[4]に応じた階調電位Ｘ[n]が第４行および第５行の各画素ＰIXに供給される。なお、単位期間Ｕ3にて第１行および第Ｍ行を選択する構成では、例えば第１行および第Ｍ行が選択される選択期間Ｈにて所定電位（例えば中間調に対応する電位）の階調電位Ｘ[n]が各信号線３４に供給される。
【００２９】
右眼用表示期間ＰRの単位期間Ｕ4では、信号線駆動回路４４は、単位期間Ｕ1と同様に動作する。すなわち、図３の部分(R4)に示すように、単位期間Ｕ4のうち第１組を構成する第(2k-1)行および第2k行の２本の走査線３２が選択される選択期間Ｈでは、右眼用画像ＧRのうち第(2k-1)行の各画素ＰIXの指定階調ＧR[2k-1]に応じた階調電位Ｘ[n]が各信号線３４に供給される。例えば、第１行および第２行の各画素ＰIXには第１行の指定階調ＧR[1]に応じた階調電位Ｘ[n]が供給され、第３行および第４行の各画素ＰIXには第３行の指定階調ＧR[3]に応じた階調電位Ｘ[n]が供給される。
【００３０】
以上の説明では右眼用表示期間ＰR内の動作を例示したが、左眼用表示期間ＰL内でも信号線駆動回路４４は同様に動作する。すなわち、左眼用表示期間ＰLのうち単位期間Ｕ1内の各選択期間Ｈでは、図３の部分(L1)に示す通り、第(2k-1)行および第2k行で構成される第１組の各画素ＰIXに対して第(2k-1)行の各画素ＰIXの指定階調ＧL[2k-1]に応じた階調電位Ｘ[n]が供給される。また、単位期間Ｕ2内の各選択期間Ｈでは、図３の部分(L2)に示す通り、第2k行の各画素ＰIXに対してその画素ＰIXの指定階調ＧL[2k]に応じた階調電位Ｘ[n]が供給される。そして、単位期間Ｕ3内の各選択期間Ｈでは、図３の部分(L3)に示す通り、第2k行および第(2k+1)行で構成される第２組の各画素ＰIXに第2k行の指定階調ＧL[2k]が供給され、単位期間Ｕ4内の各選択期間Ｈでは、図３の部分(L4)に示す通り、単位期間Ｕ1と同様に、第(2k-1)行および第2k行で構成される第１組の各画素ＰIXに対して第(2k-1)行の指定階調ＧL[2k-1]に応じた階調電位Ｘ[n]が供給される。
【００３１】
以上の説明から理解されるように、右眼用表示期間ＰRの単位期間Ｕ1では、直前の左眼用表示期間ＰL（単位期間Ｕ4）で表示された左眼用画像ＧLが第１組毎（２行毎）に順次に右眼用画像ＧRに更新され、左眼用表示期間ＰLの単位期間Ｕ1では、直前の右眼用表示期間ＰR（単位期間Ｕ4）で表示された右眼用画像ＧRが第１組毎に順次に左眼用画像ＧLに更新される。すなわち、各表示期間Ｐの単位期間Ｕ1では右眼用画像ＧRと左眼用画像ＧLとが混在する。
【００３２】
図１の制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。具体的には、眼鏡制御回路１４４は、図３に示すように、各表示期間Ｐ（ＰR，ＰL）の単位期間Ｕ1にて右眼用シャッター２２および左眼用シャッター２４の双方を閉状態に制御する。また、眼鏡制御回路１４４は、右眼用表示期間ＰRの単位期間Ｕ2と単位期間Ｕ3と単位期間Ｕ4とで右眼用シャッター２２を開状態に制御するとともに左眼用シャッター２４を閉状態に制御し、左眼用表示期間ＰLの単位期間Ｕ2と単位期間Ｕ3と単位期間Ｕ4とで左眼用シャッター２４を開状態に制御するとともに右眼用シャッター２２を閉状態に制御する。
【００３３】
したがって、右眼用表示期間ＰRの単位期間Ｕ2と単位期間Ｕ3と単位期間Ｕ4とで表示される右眼用画像ＧRは右眼用シャッター２２を透過して観察者の右眼に到達するとともに左眼用シャッター２４で遮断される。他方、左眼用表示期間ＰLの単位期間Ｕ2と単位期間Ｕ3と単位期間Ｕ4とで表示される左眼用画像ＧLは左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００３４】
前述の通り各表示期間Ｐの単位期間Ｕ1では右眼用画像ＧRと左眼用画像ＧLとが混在するが、図３を参照して説明した通り、各表示期間Ｐの単位期間Ｕ1では右眼用シャッター２２および左眼用シャッター２４の双方が閉状態に維持されるから、右眼用画像ＧRと左眼用画像ＧLとの混在（クロストーク）は観察者に知覚されない。すなわち、右眼用画像ＧRと左眼用画像ＧLとが確実に右眼および左眼に分離されるから、観察者に明確な立体感を知覚させることが可能である。
【００３５】
以上に説明した第１実施形態では、単位期間Ｕ1にて走査線３２を２行単位で選択して各画素ＰIXに階調電位Ｘ[n]を供給する。したがって、各表示期間Ｐにて走査線３２を１行単位で選択期間Ｈ毎に順次に選択して各画素ＰIXに階調電位Ｘ[n]を供給する構成と比較すると、右眼用画像ＧRと左眼用画像ＧLとが混在する期間（すなわち右眼用シャッター２２および左眼用シャッター２４の双方を閉状態に維持すべき期間）の時間長が短縮される。すなわち、表示期間Ｐのうち右眼用シャッター２２または左眼用シャッター２４を開状態に維持できる時間長が充分に確保される。したがって、観察者が認識する表示画像の明度を向上することが可能である。なお、各表示期間Ｐの単位期間Ｕ1では表示画像のＹ方向の解像度が低下するが、直後の単位期間Ｕ2では第2k行の各画素ＰIXに階調電位Ｘ[n]が供給されるから、単位期間Ｕ1における表示画像の解像度の低下は観察者に殆ど認識されない。
【００３６】
なお、単位期間Ｕ3および単位期間Ｕ4では単位期間Ｕ1と同様に各画素ＰIXが２行ずつ選択されるから、単位期間Ｕ3および単位期間Ｕ4の各々では表示画像の解像度が実際には低下する。しかし、単位期間Ｕ3で選択単位となる第２組と単位期間Ｕ4で選択単位となる第１組とは１行分だけＹ方向にずれた関係にあり、しかも、単位期間Ｕ3で第２組の各画素ＰIXに供給される階調電位Ｘ[n]（第2k行の指定階調に応じた電位）と単位期間Ｕ4で第１組の各画素ＰIXに供給される階調電位Ｘ[n]（第(2k-1)行の指定階調に応じた電位）とは相違するから、単位期間Ｕ3および単位期間Ｕ4における表示画像の解像度の低下は観察者に知覚され難いという利点がある。
【００３７】
ところで、階調電位Ｘ[n]の極性を反転させる構成としては、例えば、右眼用表示期間ＰRと左眼用表示期間ＰLとで階調電位Ｘ[n]を逆極性に設定する構成（以下「構成Ａ」という）も想定され得る。しかし、右眼用画像ＧRと左眼用画像ＧLとは通常は相違するから、右眼用表示期間ＰRと左眼用表示期間ＰLとで液晶素子ＣLの印加電圧が相違し、結果的に液晶素子ＣLの印加電圧の極性に偏り（直流成分の残留）が発生するという問題がある。第１実施形態では、各表示期間Ｐの単位期間Ｕ1と単位期間Ｕ2とで階調電位Ｘ[n]が正極性(+)に設定され、各表示期間Ｐの単位期間Ｕ3と単位期間Ｕ4とで階調電位Ｘ[n]が負極性(-)に設定される。すなわち、右眼用表示期間ＰR内で階調電位Ｘ[n]が正極性に設定される時間長と負極性に設定される時間長とが均等化され、かつ、左眼用表示期間ＰL内でも、階調電位Ｘ[n]が正極性に設定される時間長と負極性に設定される時間長とが均等化される。したがって、液晶素子ＣLに対する直流成分の印加を構成Ａと比較して低減できるという利点がある。また、階調電位Ｘ[n]の極性反転の周期が構成Ａと比較して短縮されるから、表示画像のフリッカを有効に低減できるという利点もある。ただし、構成Ａも本発明の範囲に包含される。
【００３８】
＜Ｂ：第２実施形態＞
本発明の第２実施形態を以下に説明する。なお、以下に例示する各形態において作用や機能が第１実施形態と同等である要素については、以上の説明で参照した符号を流用して各々の詳細な説明を適宜に省略する。
【００３９】
図５は、第２実施形態の動作の説明図である。各表示期間Ｐの単位期間Ｕ1では、表示画像が右眼用画像ＧRおよび左眼用画像ＧLの一方から他方に更新されるから、単位期間Ｕ2〜Ｕ4と比較して液晶素子ＣLの液晶６６の配向状態を大きく変化させる必要がある。したがって、単位期間Ｕ1では他の単位期間Ｕ2〜Ｕ4と比較して液晶６６の応答遅延が顕在化し易い。以上のような液晶６６の応答遅延の低減を目的として、第２実施形態の信号線駆動回路４４は、図５に示すように、指定階調に応じた目標電圧を上回る過電圧を各画素ＰIXの液晶素子ＣLに印加するオーバードライブ（過電圧駆動）を各表示期間Ｐ（ＰR，ＰL）の単位期間Ｕ1で実行する。
【００４０】
ところで、第１実施形態では、各表示期間Ｐの単位期間Ｕ1および単位期間Ｕ2にて階調電位Ｘ[n]を正極性に設定するとともに単位期間Ｕ3および単位期間Ｕ4にて階調電位Ｘ[n]を負極性に設定した。しかし、各表示期間Ｐの単位期間Ｕ1にてオーバードライブを実行する場合、単位期間Ｕ1および単位期間Ｕ2にて液晶素子ＣLに付与される正極性の印加電圧と、単位期間Ｕ3および単位期間Ｕ4にて液晶素子ＣLに付与される負極性の印加電圧とが不均等となり、結果的に液晶素子ＣLに直流成分が印加される可能性がある。
【００４１】
以上の問題を解決するために、第２実施形態の信号線駆動回路４４は、相前後する２個の表示期間Ｐ（右眼用表示期間ＰRと左眼用表示期間ＰLとの組）で構成される制御期間Ｔ毎に、各単位期間Ｕ（Ｕ1〜Ｕ4）における階調電位Ｘ[n]の極性を反転させる。
【００４２】
図５には、任意の１個の制御期間Ｔ1とその直後の制御期間Ｔ2とが図示されている。図５に示すように、制御期間Ｔ1内の各表示期間Ｐ（ＰR，ＰL）では、第１実施形態と同様に、単位期間Ｕ1および単位期間Ｕ2にて階調電位Ｘ[n]が正極性に設定され、単位期間Ｕ3および単位期間Ｕ4にて階調電位Ｘ[n]が負極性に設定される。他方、制御期間Ｔ2内の各表示期間Ｐ（ＰR，ＰL）では、制御期間Ｔ1内の各単位期間Ｕとは逆に、単位期間Ｕ1および単位期間Ｕ2にて階調電位Ｘ[n]が負極性に設定され、単位期間Ｕ3および単位期間Ｕ4にて階調電位Ｘ[n]が正極性に設定される。
【００４３】
第２実施形態においても第１実施形態と同様の効果が実現される。また、第２実施形態では、各単位期間Ｕ（Ｕ1〜Ｕ4）での階調電位Ｘ[n]の極性が制御期間Ｔ毎に反転するから、制御期間Ｔ1内の右眼用表示期間ＰRと制御期間Ｔ2内の右眼用表示期間ＰRとに着目した場合に、単位期間Ｕ1にて正極性の電圧が液晶素子ＣLに印加される時間長と負極性の電圧が液晶素子ＣLに印加される時間長とは均等化される。したがって、各表示期間Ｐの単位期間Ｕ1にてオーバードライブを実行する構成にも関わらず、液晶素子ＣLに対する直流成分の印加を有効に防止できるという利点がある。なお、液晶素子ＣLの印加電圧の極性の偏りの原因はオーバードライブに限定されないから、オーバードライブを実行しない構成にも第２実施形態は有効に採用される。
【００４４】
＜第３実施形態＞
第２実施形態のように各単位期間Ｕでの階調電位Ｘ[n]の極性を制御期間Ｔ毎に反転させた場合、図５に示すように、単位期間Ｕの４個分に相当する時間長τにわたり液晶素子ＣLの印加電圧が継続的に同極性に維持される期間が発生する。しかし、液晶素子ＣLに同極性の電圧を印加する期間が長いほど、印加電圧の極性の相違に起因した表示階調の時間的な変動（すなわちフリッカ）が観察者に知覚され易いという問題がある。第３実施形態は、第２実施形態で発生し得る以上の問題の解決を目的とした形態である。
【００４５】
図６は、第３実施形態の動作の説明図である。図６に矢印で強調して示すように、第３実施形態では、各制御期間Ｔ（Ｔ1，Ｔ2）の最後の単位期間Ｕ4での階調電位Ｘ[n]が第２実施形態とは逆極性に設定される。
【００４６】
具体的には、制御期間Ｔ1内の前方の表示期間Ｐ（図６の例示では右眼用表示期間ＰR）では、信号線駆動回路４４は、階調電位Ｘ[n]の極性を、第２実施形態と同様に、単位期間Ｕ1および単位期間Ｕ2にて正極性に設定するとともに単位期間Ｕ3および単位期間Ｕ4にて負極性に設定する。他方、制御期間Ｔ1内の後方の表示期間Ｐ（図６の例示では左眼用表示期間ＰL）では、信号線駆動回路４４は、階調電位Ｘ[n]の極性を、単位期間Ｕ1から単位期間Ｕ3では直前の表示期間Ｐ内の各単位期間Ｕと同様の極性（正極性→正極性→負極性）に設定するが、制御期間Ｔ1の最後に位置する単位期間Ｕ4では直前の表示期間Ｐ内の単位期間Ｕ4とは逆の正極性に設定する。そして、制御期間Ｔ2では、第２実施形態と同様に、各単位期間Ｕ（Ｕ1〜Ｕ4）における階調電位Ｘ[n]の極性が制御期間Ｔ1とは逆転する。したがって、制御期間Ｔ1の最後の単位期間Ｕ4における階調電位Ｘ[n]の極性は、その直後の制御期間Ｔ2の最初の単位期間Ｕ1での階調電位Ｘ[n]とは逆極性であると換言することも可能である。
【００４７】
第３実施形態においても第１実施形態と同様の効果が実現される。また、第３実施形態では、各単位期間Ｕでの階調電位Ｘ[n]の極性が以上の規則で選定されるから、図６から理解されるように、液晶素子ＣLの印加電圧が継続的に同極性に維持される時間は最長で単位期間Ｕの２個分である。したがって、単位期間Ｕの４個分の時間長τにわたり印加電圧が同極性に維持され得る第２実施形態と比較して、印加電圧の極性の相違に起因したフリッカが観察者に知覚され難いという利点がある。
【００４８】
＜変形例＞
以上の各形態は多様に変形され得る。具体的な変形の態様を以下に例示する。以下の例示から任意に選択された２以上の態様は、相互に矛盾しない範囲内で適宜に併合され得る。
【００４９】
（１）前述の各形態では、各表示期間Ｐの単位期間Ｕ2にて偶数行の各画素ＰIXに階調電位Ｘ[n]を供給したが、図７に示すように、各表示期間Ｐの単位期間Ｕ2にて奇数行（第(2k-1)行）の各画素ＰIXに階調電位Ｘ[n]を供給することも可能である。具体的には、走査線駆動回路４２は、単位期間Ｕ2の選択期間Ｈ毎に奇数行の走査線３２を順次に選択し、信号線駆動回路４４は、その奇数行の各画素ＰIXの指定階調（ＧR[2k-1]，ＧL[2k-1]）に応じた階調電位Ｘ[n]を各信号線３４に供給する。また、単位期間Ｕ2の直前の単位期間Ｕ1では、図７に示すように、走査線３２の第１組が順次に選択されるとともに偶数行の各画素ＰIXの指定階調に応じた階調電位Ｘ[n]が各信号線３４に供給される。
【００５０】
いま、単位期間Ｕ2で選択される走査線３２を第１走査線３２Aと表記するとともに他の走査線３２を第２走査線３２Bと表記する。第１走査線３２Aと第２走査線３２BとはＹ方向に交互に配列する。前述の各形態では偶数行の走査線３２が第１走査線３２Aに相当し、図７の構成では奇数行の走査線３２が第１走査線３２Aに相当する。前述の例示から理解される通り、各表示期間Ｐの単位期間Ｕ1および単位期間Ｕ2における信号線駆動回路４４の動作は、単位期間Ｕ1の選択期間Ｈ毎に、当該選択期間Ｈで選択される第１組のうち第２走査線３２Bに対応する各画素ＰIXの指定階調に応じた階調電位Ｘ[n]を各信号線３４に供給し、単位期間Ｕ2の選択期間Ｈ毎に、当該選択期間Ｈで選択される第１走査線３２Aに対応する各画素ＰIXの指定階調に応じた階調電位Ｘ[n]を各信号線３４に供給する動作として包括される。
【００５１】
（２）前述の各形態では、単位期間Ｕ4にて単位期間Ｕ1と同様に信号線駆動回路４４を動作させたが、単位期間Ｕ1と単位期間Ｕ4とで信号線駆動回路４４の動作を相違させることも可能である。例えば、図８に示すように、各表示期間Ｐの単位期間Ｕ1では、第１実施形態と同様に、選択期間Ｈにて選択される第１組のうち奇数行の走査線３２に対応する各画素ＰIXの指定階調に応じた階調電位Ｘ[n]が各信号線３４に供給され、各表示期間Ｐの単位期間Ｕ4では、選択期間Ｈにて選択される第１組のうち偶数行の走査線３２に対応する各画素ＰIXの指定階調に応じた階調電位Ｘ[n]が各信号線３４に供給される。単位期間Ｕ4の直前の単位期間Ｕ3では、選択期間Ｈで選択される第２組のうち奇数行の走査線３２に対応する各画素ＰIXの指定階調に応じた階調電位Ｘ[n]が各信号線３４に供給される。
【００５２】
以上の例示から理解される通り、走査線３２を前述の説明のように第１走査線３２Aと第２走査線３２Bとに区分した場合、各表示期間Ｐの単位期間Ｕ3および単位期間Ｕ4における信号線駆動回路４４の動作は、単位期間Ｕ3の選択期間Ｈ毎に、当該選択期間Ｈで選択される第２組のうち第１走査線３２Aおよび第２走査線３２Bの一方に対応する各画素ＰIXの指定階調に応じた階調電位Ｘ[n]を各信号線３４に供給し、単位期間Ｕ4の選択期間Ｈ毎に、当該選択期間Ｈで選択される第１組のうち第１走査線３２Aおよび第２走査線３２Bの他方に対応する各画素ＰIXの指定階調に応じた階調電位Ｘ[n]を各信号線３４に供給する動作として包括される。以上の表現における「第１走査線３２Aおよび第２走査線３２Bの一方」は、第１実施形態から第３実施形態では偶数行の走査線３２に相当し、図８の構成では奇数行の走査線３２に相当する。そして、「第１走査線３２Aおよび第２走査線３２Bの他方」は、第１実施形態から第３実施形態では奇数行の走査線３２に相当し、図８の構成では偶数行の走査線３２に相当する。
【００５３】
（３）前述の各形態では単位期間Ｕ4が単位期間Ｕ3に後続する場合を例示したが、単位期間Ｕ3と単位期間Ｕ4の先後を逆転することも可能である。すなわち、第１組の各画素ＰIXに階調電位Ｘ[n]を供給する単位期間Ｕ4を、第２組の各画素ＰIXに階調電位Ｘ[n]を供給する単位期間Ｕ3に先行させる構成も採用され得る。以上の説明から理解されるように、単位期間Ｕ3および単位期間Ｕ4の各々は単位期間Ｕ2の経過後の期間として包括され、単位期間Ｕ3と単位期間Ｕ4との先後は任意である。
【００５４】
（４）前述の各形態では、右眼用表示期間ＰRのうち単位期間Ｕ1の終点にて右眼用シャッター２２を閉状態から開状態に変化させたが、右眼用シャッター２２を閉状態から開状態に変化させる時期は適宜に変更される。例えば、右眼用表示期間ＰRの単位期間Ｕ1の終点以前に右眼用シャッター２２を開状態に変化させる構成では、単位期間Ｕ1内での右眼用画像ＧRと左眼用画像ＧLとの混在が観察者に若干は知覚されるが、表示画像の明度を向上させることが可能である。他方、右眼用表示期間ＰRの単位期間Ｕ1の終点以降の時点で右眼用シャッター２２を開状態に変化させる構成では、表示画像の明度は低下するが、右眼用画像ＧRと左眼用画像ＧLとの混在が観察者に知覚されることを確実に防止することが可能である。同様に、右眼用シャッター２２を開状態から閉状態に変化させる時期を、右眼用表示期間ＰRの単位期間Ｕ4の終点以前に設定した構成（表示画像の明度は低下するが右眼用画像ＧRと左眼用画像ＧLとの混在は防止される）や、右眼用表示期間ＰRの単位期間Ｕ4の終点以降に設定した構成（左眼用表示期間ＰLの単位期間Ｕ1内で右眼用画像ＧRと左眼用画像ＧLとの若干の混在は知覚されるが表示画像の明度は向上する）も採用され得る。また、右眼用画像ＧRと左眼用画像ＧLとの混在が観察者に知覚され難い開閉の時期は、右眼用シャッター２２および左眼用シャッター２４の応答特性と電気光学パネル１２（液晶素子ＣL）の応答特性との関係にも依存する。したがって、右眼用シャッター２２を閉状態から開状態に変化させる時期や開状態から閉状態に制御する時期は、右眼用画像ＧRと左眼用画像ＧLとの混在を観察者に知覚されることの防止と表示画像の明度の確保との優先度（バランス）や、立体視用眼鏡２０の応答特性と電気光学パネル１２の応答特性との関係といった種々の要因を考慮して選定される。なお、以上の説明では右眼用シャッター２２に言及したが、左眼用シャッター２４の開閉の時期についても同様の事情が妥当する。
【００５５】
以上の説明から理解されるように、右眼用シャッター２２が開状態に制御される期間は、右眼用表示期間ＰRにおける単位期間Ｕ2と単位期間Ｕ3と単位期間Ｕ4とのうち少なくとも一部を含む期間（単位期間Ｕ1を含むか否かは不問）として包括される。同様に、左眼用シャッター２４が開状態に制御される期間は、左眼用表示期間ＰLにおける単位期間Ｕ2と単位期間Ｕ3と単位期間Ｕ4とのうち少なくとも一部を含む期間（単位期間Ｕ1を含むか否かは不問）として包括される。また、右眼用シャッター２２および左眼用シャッター２４の双方が閉状態に制御される期間は、各表示期間Ｐ（ＰR，ＰL）のうち単位期間Ｕ1の少なくとも一部の期間として包括される。
【００５６】
（５）電気光学素子は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００５７】
＜応用例＞
以上の各形態に例示した電気光学装置１０は、各種の電子機器に利用され得る。図９から図１１には、電気光学装置１０を採用した電子機器の具体的な形態が例示されている。
【００５８】
図９は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０（図９では図示略）で視認する。
【００５９】
図１０は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００６０】
図１１は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００６１】
なお、本発明に係る電気光学装置が適用される電子機器としては、図９から図１１に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００６２】
１００……立体視表示装置、１０……電気光学装置、１２……電気光学パネル、１４……制御回路、１４２……表示制御回路、１４４……眼鏡制御回路、２０……立体視用眼鏡、２２……右眼用シャッター、２４……左眼用シャッター、３０……画素部、ＰIX……画素、ＣL……液晶素子、ＳW……選択スイッチ、３２……走査線、３４……信号線、４０……駆動回路、４２……走査線駆動回路、４４……信号線駆動回路。
【図１】
0005891621.tif 000002
【図２】
0005891621.tif 000003
【図３】
0005891621.tif 000004
【図４】
0005891621.tif 000005
【図５】
0005891621.tif 000006
【図６】
0005891621.tif 000007
【図７】
0005891621.tif 000008
【図８】
0005891621.tif 000009
【図９】
0005891621.tif 000010
【図１０】
0005891621.tif 000011
【図１１】
0005891621.tif 000012
【図１２】
0005891621.tif 000013